(57)【要約】【課題】  光源の放射光によって光源の点灯状態が不所望に制御されることを防止可能な照明装置を提供する。【解決手段】  照明装置１１は、光源４０が一方側に配設された発光ユニット２９と、発光ユニット２９の他方側に配置され光源４０の放射光の受光によって動作せずに周囲の明るさを感知する光センサー３１と、光センサー３１の感知に応じて光源４０を点灯させる点灯装置３０と、発光ユニット２９および光センサー３１を収容する装置本体１２と、を具備している。【選択図】図２
2015162420.tif 000002
【特許請求の範囲】
【請求項１】
光源が一方側に配設された発光ユニットと；
この発光ユニットの他方側に配置され前記光源の放射光の受光によって動作せずに周囲の明るさを感知する光センサーと；
この光センサーの感知に応じて前記光源を点灯させる点灯装置と；
前記発光ユニットおよび前記光センサーを収容する装置本体と；
を具備していることを特徴とする照明装置。
【請求項２】
前記光センサーは、波長２６０〜４００ｎｍに感度を有することを特徴とする請求項１記載の照明装置。
【発明の詳細な説明】
【技術分野】
【０００１】
本実施形態は、ＬＥＤや有機ＥＬ等の光源を使用した照明装置に関する。
【背景技術】
【０００２】
防犯灯、街路灯や道路灯などにおいては、周囲の明るさ（照度）に応じて光源の点灯状態を制御しているものがある。すなわち、光センサーで周囲の明るさを感知し、昼間など周囲が明るいときには光源を消灯または減光させ、周囲が暗くなると光源を点灯させている。そして、光センサーは、装置本体内において、光源の放射光を感知しないように光源の背面側に配置されている（例えば特許文献１参照。）。
【先行技術文献】
【特許文献】
【０００３】
【特許文献１】特開２０１３−１２５６７４号公報（第５頁、第１図）
【発明の概要】
【発明が解決しようとする課題】
【０００４】
しかしながら、例えば、装置本体の外面側に雪が積もると、光源の放射光が雪で反射されて光センサーに入射し、光センサーが明るさを感知して、光源を消灯または減光させてしまうという問題があった。
【０００５】
本実施形態は、光源の放射光によって光源の点灯状態が不所望に制御されることを防止可能な照明装置を提供することを目的とする。
【課題を解決するための手段】
【０００６】
本実施形態の照明装置は、発光ユニット、光センサー、点灯装置および装置本体を有して構成される。発光ユニットは、その一方側に光源を配設している。光センサーは、光源の放射光の受光によって動作せずに周囲の明るさを感知するものであり、発光ユニットの他方側に配置される。
【０００７】
点灯装置は、光センサーの感知に応じて光源を点灯させる。装置本体は、少なくとも発光ユニットおよび光センサーを収容している。
【発明の効果】
【０００８】
本実施形態の照明装置によれば、光センサーが光源の放射光の受光によって動作せずに周囲の明るさを感知するので、光源の放射光によって光源の点灯状態が制御されないことが期待できる。
【図面の簡単な説明】
【０００９】
【図１】本発明の実施形態を示す照明装置の概略斜視図である。
【図２】同上、図１の側断面図である。
【図３】同上、図１の縦断面図である。
【図４】同上、ＬＥＤのスペクトルを示す説明図である。
【図５】同上、光センサーの波長に対する感度を示す説明図である。
【図６】同上、太陽光のスペクトルを示す説明図である。
【発明を実施するための形態】
【００１０】
以下、本発明の実施形態について説明する。図１は本発明の実施形態を示す照明装置の一例を示す斜視図である。図１では照明装置が防犯灯である場合を示している。照明装置１１は、装置本体としての透光性の筒状カバー１２と、筒状カバー１２の基端部１３側に取付けられた基体部１４と、アーム１５とから構成されている。
【００１１】
筒状カバー１２は、その頂部１６が閉塞されており、基端部１３側に開口部１７が形成されていて、全体として筒状を形成している。筒状カバー１２は、頂部１６側の筒本体１８と基端部１３側のフランジ部１９とによって構成され、基端部１３のフランジ部１９は、その外周部が円筒形であり、その内側の開口部１７の輪郭も円形状となっている。筒本体１８は、フランジ部１９から頂部１６側に延伸して形成され、フランジ部１９の外径よりもやや小さい円筒形状でフランジ部１９に一体的に設けられている。
【００１２】
筒状カバー１２の内部には、開口部１７と連通する収容空間が形成されており、この収容空間は、開口部１７以外とは連通することがない実質的な閉空間となっている。当該収容空間に後述の発光ユニット２９および点灯装置としての点灯回路３０が収容される。
【００１３】
筒状カバー１２は、アクリルやポリカーボネート等の透光性樹脂で一体成形され、全体として透光性を有している。また、筒状カバー１２を成形する透光性樹脂には白色顔料や光拡散材が添加されており、全体として乳白状の外観を有している。なお、筒状カバー１２は全体が透明であってもよく、一部が透光性を有する形態であっても構わない。
【００１４】
筒状カバー１２の筒本体１８は、下方側が照射面である路面への照射光を透過する投光部２０として、上方側が笠部２１としてそれぞれ機能する。笠部２１のフランジ部１９側の上方には、断面コ字状の壁部２２が突出形成されている。当該壁部２２は、その先端が揃って平坦となるような高さで形成されている。
【００１５】
筒状カバー１２の筒本体１８の幅方向の周囲には、投光部２０および笠部２１の外周面よりもやや外側に突出した段部２３が連続して帯状に形成されている。この段部２３が外側に張り出していることにより、段部２３が投光部２０の庇として機能しており、降雨時の水滴が投光部２０に流下しにくくなり、投光部２０の表面に汚れが付着し難くなる。また、筒本体１８の長手方向の周囲に段部２３が連続して形成されていることによって筒本体１８の機械的強度も向上する。
【００１６】
基体部１４は、筒状カバー１２に装着され、筒状カバー１２の開口部１７を閉塞するとともに、筒状カバー１２の内部に収容された発光ユニット２９へ電力供給を行うリード線２４が接続されている。すなわち、基体部１４は後述するように配線部３６を有し、リード線２４から配線部３６を介して点灯回路３０に電力が供給される。
【００１７】
また、アーム１５は、基体部１４にねじ等で着脱可能に取り付けられ、このアーム１５によって、基体部１４が装着された筒状カバー１２は、路面に設置された電柱等のポールに取付けられる。アーム１５は、断面コの字状の金属片の中間部を略Ｌ字状に湾曲した湾曲部２５を有しており、湾曲部２５の後端部には電柱に巻付けられる取付バンドの通し孔２６及び取り付けねじ係止用のだるま穴２７が形成されている。
【００１８】
このとき、筒状カバー１２の長軸方向は、アーム１５の湾曲部２５によって頂部１６側が上方を向くように水平面に対して約２０°〜５０°傾いて設置される。従って、筒状カバー１２の開口部１７は、筒状カバー１２の設置状態において常に約２０°〜５０°下方に向いており、降雨による水滴が開口部１７内に浸入しにくく、防水性能が向上する。さらに、筒状カバー１２の頂部１６側を上方に向けることで、比較的表面積が大きい笠部２１内の対流と熱交換の効率が向上するため、放熱特性を向上させることもできる。
【００１９】
ここで、アーム１５の先端部は、笠部２１の壁部２２の先端とわずかな隙間を形成するように配設される。この先端部は、ポール上での作業者の足場として使用された場合の荷重によっても十分な強度を保つように機能する。
【００２０】
図２は、図１の側断面図である。図２に示すように、筒状カバー１２の筒本体１８は、頂部１６に向かうに従って外径が小さくなる先細り形状の筒体となっている。特に、筒本体１８の上下方向の外径寸法は、幅方向の外径寸法よりも頂部１６に向かって減少する割合が大きく、頂部１６付近での筒本体１８の断面形状は、幅方向を長径とする偏平な略楕円形状となっている。
【００２１】
筒状カバー１２の内部には、開口部１７と連通する収容空間２８が形成されており、この収容空間２８に発光ユニット２９、点灯装置としての点灯回路３０、光センサー３１が収容されている。点灯回路３０及び光センサー３１は、発光ユニット２９に取り付けられている。
【００２２】
筒状カバー１２の段部２３の内側には、収容空間２８に発光ユニット２９を装着するための溝部３２が形成されている。この溝部３２は、少なくとも筒状カバー１２の長手方向に沿って幅方向にそれぞれ設けられており、開口部１７からみて一対の溝部３２が形成されるようになっている。一対の溝部３２は、筒状カバー１２の内部に発光ユニット２９を装着する際に、発光ユニット２９の挿入を案内するものであり、筒状カバー１２の長手方向の直交する断面の中心位置より下側の位置に配設されている。従って、発光ユニット２９を筒状カバー１２に装着したときは、発光ユニット２９は、筒状カバー１２の長手方向の直交する断面の中心位置より下側に位置することになる。
【００２３】
基体部１４は、筒状カバー１２の開口部１７を閉塞する閉塞部３３を有しており、基端部１３側に有底筒状に形成されている。閉塞部３３は、底側がフランジ部１９の内部に挿入され、基端部１３の接合部分でＯリング３４を介して当接する。Ｏリング３４は、閉塞部３３で押圧されて弾性変形して開口部１７の内側が水密構造となって防水性が確保される。
【００２４】
閉塞部３３の先端側には、開口部１７を閉塞する閉塞板３５が設けられており、この閉塞板３５と発光ユニット２９の端部とが当接して発光ユニット２９が固定される。閉塞板３５には、発光ユニット２９への給電を行うリード線２４が挿通する配線部３６が設けられている。この配線部３６には、防水ブッシング３７が設けられており、この防水ブッシング３７にリード線２４を挿入することで配線部３６の防水性が確保されている。基体部１４の後端側には、フランジ部１９とほぼ同径の円筒段部３８が閉塞部３３と一体的に形成され、この円筒段部３８にアーム１５が図示省略のねじで固定される。
【００２５】
発光ユニット２９は、発光基板３９を有しており、この発光基板３９の主面側には、光源としてのＬＥＤ（発光ダイオード）４０が実装されている。発光基板３９の主面側には、図示省略の配線パターンとＬＥＤ４０の端子接続用のランドとが銅箔により形成されている。発光基板３９の主面側には、白色発光する複数個のＬＥＤ４０が所定間隔をおいて実装されている。例えば、１列が４個のＬＥＤ４０が２列（合計８個）実装されている。
【００２６】
発光ユニット２９は、アルミニウム製の放熱板等の放熱手段４１を有しており、この放熱手段４１の一方側（一面側）に発光基板３９が図示省略のねじ等によって熱伝導可能に取り付けられている。発光基板３９のＬＥＤ４０での発熱は、放熱手段４１により筒状カバー１２内に放熱される。なお、発光基板３９と放熱手段４１とは一体的に設けられていてもよい。また、放熱手段としては、放熱フィン等を使用してもよい。
【００２７】
放熱手段４１の他面側には、ＬＥＤ４０を点灯させる点灯装置としての点灯回路３０が設けられている。点灯回路３０は、金属製ケース４２の内部に定電流回路等を構成する図示省略の回路基板を収容して構成されている。ケース４２が放熱手段４１の他方側（他面側）にねじ等で取り付けられることにより、点灯回路３０は、放熱手段４１に取り付けられる。
【００２８】
発光ユニット２９は、放熱手段４１の周縁部が筒状カバー１２の収容空間２８に設けられた一対の溝部３２に発光基板３９を下向にした状態で挿入されることで筒状カバー１２に支持される。また、放熱手段４１の先端部も頂部１６側に連続する溝部３２に係合している。このように、筒状カバー１２の収容空間２８は、発光ユニット２９の放熱手段４１によって投光部２０側と笠部２１側とが実質分断されている。
【００２９】
図３は、図１の縦断面図である。図３に示すように、発光ユニット２９は、筒状カバー１２の長手方向の直交する断面の中心位置４３より下側に位置するように筒状カバー１２に収容されている。これにより、筒状カバー１２の笠部２１側の収容空間２８Ａの内容積は、投光部２０側の収容空間２８Ｂの内容積の２〜３倍大きくなるように発光ユニット２９により区分される。したがって、笠部２１側の収容空間２８Ａは熱容量的にも大きく、十分な対流が行われるので、放熱手段４１や点灯回路３０のケース４２からの伝熱を笠部２１の外表面を利用した熱交換作用により良好に放熱できる。なお、図３において、光センサー３１は、断面には現れないが、横方向の位置関係を参考までに表現するために点線で示している。
【００３０】
一方、投光部２０側の収容空間２８Ｂは相対的に狭くなり、発光ユニット２９の発光基板３９に実装されたＬＥＤ４０と、筒状カバー１２の投光部２０との間の距離が短くなり、発光ユニット２９の放射光が効率的に投光部２０から所望の方向へ照射される光学特性が得られる。発光ユニット２９のＬＥＤ４０と筒状カバー１２の投光部２０との間の距離は、投光部２０からの出射光がグレアを生じない程度及び光源であるＬＥＤ４０のぶつぶつ間が生じない程度の距離を保つことが望ましい。
【００３１】
また、発光ユニット２９の放熱手段４１の側縁部が一対の溝部３２に載置されて取り付けられており、この放熱板４１の側縁部を筒状カバー１２の投光部２０の外周面よりも外側に張り出すように配置することによって投光部２０側と笠部２１側とが実質分断されている。これにより、発光ユニット２９のＬＥＤ４０からの光が筒状カバー１２の笠部２１側の収容空間２８Ａに入り込むことがないようにしている。
【００３２】
また、本実施形態の光センサー３１は、光源としてのＬＥＤ４０の放射光の受光によってＬＥＤ４０を消灯や減光させるように動作することがないように、ＬＥＤ４０の放射スペクトルでは所定の検出結果を出力しない特性を有するものが用いられている。すなわち、光センサー３１は、図５に示すように、波長２５０〜４００ｎｍの波長範囲の紫外領域に感度を有するものが用いられている。ＬＥＤ４０の放射光は、図４に示すように、４６５ｎｍにピーク波長を有する４００〜８００ｎｍの波長範囲の主に可視光領域の光を放射する。したがって、光センサー３１は、発光ユニット２９のＬＥＤ４０からの放射光を入射してもほとんど感知しない。これに対し、太陽光は、図６に示すように、波長４００ｎｍ以下の紫外域側の光を混在している。光センサー３１は、太陽光の波長４００ｎｍ以下の光を感知する。
【００３３】
次に、本実施形態の作用について述べる。
【００３４】
昼間において、光センサー３１は、筒状カバー１２の筒本体１８の笠部２１を透過した太陽光（外光）を入射する。光センサー３１は、太陽光の波長４００ｎｍ以下の光を感知する。この感知信号は、点灯回路３０に入力される。点灯回路４０は、発光ユニット２９のＬＥＤ４０を消灯させる。
【００３５】
そして、夕方になり、光センサー３１に入射する太陽光が低減し、または太陽光が入射しなくなると、光センサー３１は、光を感知しなくなる。点灯回路３０は、発光ユニット２９のＬＥＤ４０を全光点灯させる。
【００３６】
そして、昼間であっても、雪が降り、周囲が薄暗くなるとともに筒状カバー１２の筒本体１８の笠部２１に雪が積もると、光センサー３１に太陽光の光が入射されなくなる。点灯回路３０は、発光ユニット２９のＬＥＤ４０を全光点灯させる。
【００３７】
そして、筒状カバー１２の筒本体１８に雪が積もっているときに、発光ユニット２９のＬＥＤ４０からの漏れ光が雪で反射して光センサー３１に入射することがある。しかし、光センサー３１は、ＬＥＤ４０の放射光に感度を有していないので、ＬＥＤ４０からの光を感知しなく、ＬＥＤ４０の放射光の受光によって動作しない。光センサー３１は、ＬＥＤ４０の放射光によって誤動作することがなく、これにより、ＬＥＤ４０の点灯状態が不所望に制御されない。
【００３８】
本実施形態の照明装置１１によれば、光センサー３１が発光ユニット２９のＬＥＤ４０の放射光の受光によって動作せずに太陽光による周囲の明るさを感知するので、例えば降雪のときに、ＬＥＤ４０の放射光によってＬＥＤ４０の点灯状態が不所望に制御されることを防止できるという効果を有する。
【００３９】
また、光センサー３１は、波長２５０〜４００ｎｍの波長領域に感度を有するので、他の照明装置からの照明光によって誤動作しないという効果を有する。
【００４０】
なお、本発明の上述した実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれるものである。
【符号の説明】
【００４１】
１１…照明装置、１２…装置本体としての筒状カバー、２９…発光ユニット、３０…点灯装置としての点灯回路、３１…光センサー、４０…光源としてのＬＥＤ
【図１】
2015162420.tif 000003
【図２】
2015162420.tif 000004
【図３】
2015162420.tif 000005
【図４】
2015162420.tif 000006
【図５】
2015162420.tif 000007
【図６】
2015162420.tif 000008